(57)【要約】【課題】  電線の敷設の際に使用した電線の数量や端材となった電線の数量を容易に計って管理することを可能にする。【解決手段】  電線３に沿って互いに離れて設けられると共に、順番を表す順番情報および電線３の製品情報を記憶している複数のＩＣタグ３Ａと、電線３を切断するために用いられる切断部を挟むようにＩＣタグ３Ａが位置したときに、これらのＩＣタグ３Ａとの通信によって順番情報を読み取るリード・ライト装置５と、リード・ライト装置５が読み取った順番情報が途切れたとき、途切れたときの最後の順番情報を持つＩＣタグ３Ａとその１つ前の順番情報を持つＩＣタグ３Ａとの間で電線３が切断されたと判別し、最初の順番情報から１つ前の順番情報までに対応する長さを算出して、引き出されて切断された電線３の使用数量、または戻し入れられた電線３の戻し入れ数量とする電線管理コンピュータ６とを備える。【選択図】  図１
2007265667.tif 000002
【特許請求の範囲】
【請求項１】
電線に沿って互いに離れて設けられると共に、順番を表す順番情報および前記電線の製品情報を記録している複数のＩＣタグにより、前記電線を管理する電線管理システムであって、
前記電線を切断するために用いられる切断部を挟むように前記ＩＣタグが位置したときに、これらのＩＣタグとの通信によって順番情報を読み取る第１の通信手段と、
前記第１の通信手段が読み取った前記順番情報が途切れたとき、途切れたときの最後の順番情報を持つＩＣタグとその１つ前の順番情報を持つＩＣタグとの間で前記電線が切断されたと判別し、最初の順番情報から前記１つ前の順番情報に対応する長さを算出して、引き出されて切断された電線の使用数量、または戻し入れられた電線の戻し入れ数量とする第１の処理手段と、
を備えることを特徴とする電線管理システム。
【請求項２】
前記第１の処理手段は取得した使用数量を前記第１の通信手段に送り、
前記第１の通信手段は、前記第１の処理手段から受け取った使用数量を、前記電線が途切れたときの最後の順番情報を持つＩＣタグに記録する、
ことを特徴とする請求項２に記載の電線管理システム。
【請求項３】
前記電線を巻き取って収納すると共に情報の読み書きが可能なＩＣタグが設けられている電線ドラムを備え、
前記第１の通信手段は、前記第１の処理手段から受け取った使用数量を、前記電線ドラムのＩＣタグに記録する、
ことを特徴とする請求項２に記載の電線管理システム。
【請求項４】
電線の敷設の際に発生する端材を収容するために用いられ、前記端材に設けられているＩＣタグから順番情報を読み出す第２の通信手段を具備する収納容器と、
前記第２の通信手段が読み取った前記順番情報を基に端材の長さを算出して、端材数量とする第２の処理手段と、
を備えることを特徴とする請求項１〜３のいずれか１項に記載の電線管理システム。
【請求項５】
敷設を含む作業が行われた電線の作業内容を表す作業情報を入力する入力手段を備え、
前記第１の処理手段は、前記入力手段から受け取った作業情報を第１の通信手段に送って前記電線または前記電線ドラムの少なくとも一方のＩＣタグに記録する、
ことを特徴とする請求項３または４に記載の電線管理システム。
【請求項６】
前記第１の通信手段が読み取って前記第１の処理手段に送った製品情報、前記第１の処理手段が算出した使用数量、前記第１の処理手段が算出した戻し入れ数量、前記入力手段に入力された作業情報の少なくとも１つを送信する送受信手段と、
前記送受信手段から使用数量を受信すると、前記使用数量と引き出しの際に未使用となった前記電線とを組み合わせて保存し、前記送受信手段から製品情報を受信すると、この製品情報と、この製品情報に対応する電線の設置位置情報とを組み合わせて保存し、前記送受信手段から戻し入れ数量と作業情報とを受信すると、戻し入れされた電線の製品情報と戻し入れ数量と作業情報とを組み合わせて保存する情報管理手段と、
を備えることを特徴とする請求項５に記載の電線管理システム。
【請求項７】
電線に沿って互いに離れて設けられると共に、順番を表す順番情報および前記電線の製品情報を記録している複数のＩＣタグにより、前記電線を管理する電線管理方法であって、
前記電線を切断するために用いられる切断部を挟むように前記ＩＣタグが位置したときに、これらのＩＣタグとの通信によって順番情報を読み取り、
読み取った前記順番情報が途切れたとき、途切れたときの最後の順番情報を持つＩＣタグとその１つ前の順番情報を持つＩＣタグとの間で前記電線が切断されたと判別し、
最初の順番情報から前記１つ前の順番情報に対応する長さを算出して、引き出されて切断された電線の使用数量、または戻し入れられた電線の戻し入れ数量とする、
ことを特徴とする電線管理方法。
【発明の詳細な説明】
【技術分野】
【０００１】
この発明は、敷設作業等で使用された電線の使用数量などを管理する電線管理システムおよび電線管理方法に関する。
【背景技術】
【０００２】
通信線や電力線などの長尺の曲げ可能な電線は、通常、電線ドラムに巻かれて保管されている。例えば配電線の敷設作業では、電線ドラムを作業現場に運び、電線ドラムから電線を引き出して、電柱と電柱との間に電線を架設する。この後、敷設作業に使用した電線の使用数量から電線ドラムに巻かれている電線の残数量を計算し、使用数量や残数量を紙片等に記入して電線ドラムや配電線などに貼り付けて、次回の敷設作業のために電線を管理する。
【０００３】
一方、配電線などの電線に事故が発生すると、事故による影響が広範囲に及ぶことになる。このために、電線の性能不良などが明らかになったとき、電線の修理や取り替えを速やかに行うために、電線の製造者、製造年、ロット番号などの製品情報と、この電線が敷設された位置を表す位置情報とを組み合わせて管理することが必要である。そこで、電線の製品情報の確認を容易にするために、ＩＣタグを用いた技術がある（例えば、特許文献１参照。）。この技術によれば、ＩＣタグに製品情報をあらかじめ記録し、このＩＣタグを電線に貼り付ける。これにより、敷設の作業現場で作業者による製品情報の確認が容易になる。
【特許文献１】特開２００３−２０３５２７号公報
【発明の開示】
【発明が解決しようとする課題】
【０００４】
先に述べたように、電線の使用数量や残数量などを紙片等に記入し、この紙片等を電線ドラムなどに貼り付けて、次回の敷設作業のために電線を管理する方法では、電線ドラムから引き出した電線の長さを調べる場合、作業者が巻尺などを用いて電線の長さを計る必要がある。一方、作業者には早急な敷設作業と、この作業の安全管理とが要求されるので、電線の使用数量の計測は現場の作業者の負担となる。また、敷設作業では端材が発生するために、端材となった電線の端材数量を調べて電線を管理する必要もある。
【０００５】
ところで、ＩＣタグを用いる技術は現場での製品情報の確認を容易にするものであるが、電線の敷設作業では製品情報の確認と共に、先に述べた電線の使用数量や端材数量の計測も必要である。しかし、ＩＣタグを用いた従来の技術では、電線の使用数量や端材数量を計ることまでは行うことができない。
【０００６】
この発明の目的は、前記の課題を解決し、電線の敷設の際に使用した電線の数量や端材となった電線の数量を容易に計って電線を管理することを可能にする電線管理システムおよび電線管理方法を提供することにある。
【課題を解決するための手段】
【０００７】
前記の課題を解決するために、請求項１の発明は、電線に沿って互いに離れて設けられると共に、順番を表す順番情報および前記電線の製品情報を記録している複数のＩＣタグにより、前記電線を管理する電線管理システムであって、前記電線を切断するために用いられる切断部を挟むように前記ＩＣタグが位置したときに、これらのＩＣタグとの通信によって順番情報を読み取る第１の通信手段と、前記第１の通信手段が読み取った前記順番情報が途切れたとき、途切れたときの最後の順番情報を持つＩＣタグとその１つ前の順番情報を持つＩＣタグとの間で前記電線が切断されたと判別し、最初の順番情報から前記１つ前の順番情報に対応する長さを算出して、引き出されて切断された電線の使用数量、または戻し入れられた電線の戻し入れ数量とする第１の処理手段とを備えることを特徴とする電線管理システムである。
【０００８】
請求項１の発明では、ＩＣタグがあらかじめ電線にそれぞれ離れて設けられ、各ＩＣタグは、順番を表す順番情報および電線の製品情報を記憶している。こうした状態の場合に、電線の敷設の際に切断部を挟むようにＩＣタグが位置したときに、第１の通信手段は、これらのＩＣタグとの通信によって順番情報を読み出す。処理手段は、第１の通信手段がＩＣタグから読み取った順番情報が途切れたとき、このときの最後の順番情報を持つＩＣタグと、１つ前の順番情報を持つＩＣタグとの間で電線が切断されたと判別する。そして、処理手段は、引き出された電線の最初の順番情報から、１つ前の順番情報までに対応する長さを算出して、引き出されて切断された電線の使用数量とする。
【０００９】
請求項２の発明は、請求項２に記載の電線管理システムにおいて、前記第１の処理手段は取得した使用数量を前記第１の通信手段に送り、前記第１の通信手段は、前記第１の処理手段から受け取った使用数量を、前記電線が途切れたときの最後の順番情報を持つＩＣタグに記録することを特徴とする。
【００１０】
請求項３の発明は、請求項２に記載の電線管理システムにおいて、前記電線を巻き取って収納すると共に情報の読み書きが可能なＩＣタグが設けられている電線ドラムを備え、前記第１の通信手段は、前記第１の処理手段から受け取った使用数量を、前記電線ドラムのＩＣタグに記録することを特徴とする。
【００１１】
請求項４の発明は、請求項１〜３のいずれか１項に記載の電線管理システムにおいて、電線の敷設の際に発生する端材を収容するために用いられ、前記端材に設けられているＩＣタグから順番情報を読み出す第２の通信手段を具備する収納容器と、前記第２の通信手段が読み取った前記順番情報を基に端材の長さを算出して、端材数量とする第２の処理手段とを備えることを特徴とする。
【００１２】
請求項５の発明は、請求項３または４に記載の電線管理システムにおいて、敷設を含む作業が行われた電線の作業内容を表す作業情報を入力する入力手段を備え、前記第１の処理手段は、前記入力手段から受け取った作業情報を第１の通信手段に送って前記電線または前記電線ドラムの少なくとも一方のＩＣタグに記録することを特徴とする。
【００１３】
請求項６の発明は、請求項５に記載の電線管理システムにおいて、前記第１の通信手段が読み取って前記第１の処理手段に送った製品情報、前記第１の処理手段が算出した使用数量、前記第１の処理手段が算出した戻し入れ数量、前記入力手段に入力された作業情報の少なくとも１つを送信する送受信手段と、前記送受信手段から使用数量を受信すると、前記使用数量と引き出しの際に未使用となった前記電線とを組み合わせて保存し、前記送受信手段から製品情報を受信すると、この製品情報と、この製品情報に対応する電線の設置位置情報とを組み合わせて保存し、前記送受信手段から戻し入れ数量と作業情報とを受信すると、戻し入れされた電線の製品情報と戻し入れ数量と作業情報とを組み合わせて保存する情報管理手段とを備えることを特徴とする。
【００１４】
請求項７の発明は、電線に沿って互いに離れて設けられると共に、順番を表す順番情報および前記電線の製品情報を記録している複数のＩＣタグにより、前記電線を管理する電線管理方法であって、前記電線を切断するために用いられる切断部を挟むように前記ＩＣタグが位置したときに、これらのＩＣタグとの通信によって順番情報を読み取り、読み取った前記順番情報が途切れたとき、途切れたときの最後の順番情報を持つＩＣタグとその１つ前の順番情報を持つＩＣタグとの間で前記電線が切断されたと判別し、最初の順番情報から前記１つ前の順番情報に対応する長さを算出して、引き出されて切断された電線の使用数量、または戻し入れられた電線の戻し入れ数量とすることを特徴とする電線管理方法。
【発明の効果】
【００１５】
請求項１および請求項７の発明により、ＩＣタグから読み取った順番情報を基にして、電線の敷設の際に使用した電線の使用数量や、敷設されている電線を回収したときの戻し入れ数量を正確に取得することができ、かつ、使用数量や戻し入れ数量の取得に際して人手による計測を不要にすることができる。
【００１６】
請求項２および請求項３の発明により、敷設に際して未使用の電線の先端部側に位置するＩＣタグや、電線ドラムのＩＣタグが使用数量を記録しているので、この電線ドラムの電線の正確な残数量を把握することを可能にする。
【００１７】
請求項４の発明により、端材に設けられているＩＣタグから読み取った順番情報を基にして、電線の敷設作業で生じた端材の数量を正確に取得することができる。
【００１８】
請求項５の発明により、電線や電線ドラムのＩＣタグに電線の作業情報を記録していくので、電線の作業履歴を電線や電線ドラムのＩＣタグに残すことを可能にする。
【００１９】
請求項６の発明により、電線の敷設の際に未使用となった電線と使用数量とを組み合わせて保存する場合には、電線の残数量を管理することを可能にする。また、電線の製品情報とこの電線の設置位置情報とを組み合わせて保存する場合には、敷設後の電線を管理することを可能にする。さらに、戻し入れされた電線の製品情報と戻し入れ数量と作業情報とを組み合わせて保存する場合には、戻し入れされた電線の管理を可能にする。
【発明を実施するための最良の形態】
【００２０】
次に、この発明の実施の形態について、図面を用いて詳しく説明する。
【００２１】
（実施の形態１）
この実施の形態による電線管理システムを図１および図２に示す。この電線管理システムは、ドラム架台１に支持可能な電線ドラム２に巻かれている電線３を管理するものであり、リード・ライト装置５、電線管理コンピュータ６、８、収納箱７、およびホストコンピュータ９を備えている。
【００２２】
ドラム架台１は電線ドラム２を回転可能に支持する。電線ドラム２は長尺の曲げ可能な電線３を巻き取って収納する。電線３を収納した電線ドラム２は、保管場所から作業現場に運搬され、ドラム架台１に設置されて、電線３の敷設作業に使用される。
【００２３】
電線３は、ドラム架台１に支持されたドラム２から、矢印で示す方向Ａ（以下、引き出し方向Ａという）に引き出される。電線３は配電線などの敷設作業に用いられ、図３に示すように、電線３には例えば製造工程でＩＣタグ３Ａが等しい間隔Ｄで設けられている。各ＩＣタグ３Ａは、ＩＣチップをそれぞれ内蔵している。ＩＣチップには各種情報の書き込みが可能であり、また、ＩＣチップからは情報の読み出しが可能である。各ＩＣチップは、ＩＣタグ３Ａの配列順番を表す順番情報をそれぞれ記憶している。この実施の形態では、ＩＣタグ３Ａに記録する順番情報は「１」から始まる数字である。つまり、ＩＣタグ３Ａが間隔Ｄで電線３に配置され、ＩＣタグ３Ａには「１」から始まる順番情報が記憶されているので、ＩＣタグ３Ａの順番情報が電線３の長さを表すことになる。
【００２４】
また、ＩＣタグ３Ａは電線３の製品情報を記録している。ＩＣタグ３Ａが記録する製品情報は、
電線３を製造した「製造者」
電線３を製造した「製造年」
電線３の「型式」
電線３の「製造番号」
を含む情報である。ＩＣタグ３Ａは、リード・ライト装置５からの電磁波の問い合わせ信号を受信すると、この電磁波によって動作する。動作を開始したＩＣタグ３Ａは、あらかじめＩＣチップに記録されている順番情報と製品情報とを、応答信号として電磁波で送信する。また、動作を開始したＩＣタグ３Ａは、リード・ライト装置５からの電磁波の書き込み信号を受信して、この信号に含まれる各種の情報を記録する。
【００２５】
各ＩＣタグ３Ａは、電線３の被覆表面や内部に固着されてもよく、また、粘着テープなどにより電線３の被覆表面に貼り付けられてもよい。ＩＣタグ３Ａを電線３に固着した場合には、ＩＣタグ３Ａが電線３から剥がれることがなく、電線３の管理の信頼性を高めることができる。また、ＩＣタグ３Ａを電線３に貼り付けた場合には、電線３を廃棄するときに、電線３からＩＣタグ３Ａを容易に剥がすことができ、電線３のリサイクルが可能になる。
【００２６】
リード・ライト装置５は、ＩＣタグ３Ａとの通信により、ＩＣタグ３Ａに対して各種の情報の書き込みと読み出しとを行う。リード・ライト装置５は、図４に示すように、支持具５Ａによって支持されている第１アンテナ部５Ｂおよび第２アンテナ部５Ｃと、図５に示すように、支持具５Ａ内部に設けられている制御部５Ｄとを備えている。
【００２７】
第１のアンテナ部５Ｂおよび第２のアンテナ部５Ｃは、断面コ字状の支持台５Ｂ1、５Ｃ1を備えている。支持台５Ｂ1の側壁には、この側壁の長手方向にアンテナ５Ｂ2、５Ｂ3が設けられ、支持台５Ｃ1の側壁には同じくアンテナ５Ｃ2、５Ｃ3が設けられている。支持台５Ｂ1のアンテナ５Ｂ2、５Ｂ3、および、支持台５Ｃ1のアンテナ５Ｃ2、５Ｃ3は、電線３にＩＣタグ３Ａが配置されている間隔Ｄと同じ間隔で配置されている。支持台５Ｂ1は、支持具５Ａにより支持台５Ｃ1から離れて配置されている。支持台５Ｂ1と支持台５Ｃ1との間は電線３の切断部５Ｅを形成し、切断部５Ｅは電線３を切断するために用いられる。支持台５Ｂ1のアンテナ５Ｂ3と支持台５Ｃ1のアンテナ５Ｃ2との間が、つまり、互いに向かい合うアンテナ５Ｂ3とアンテナ５Ｃ2との間が、ＩＣタグ３Ａの配置されている間隔Ｄと同じになるように、支持台５Ｂ1と支持台５Ｃ1とが配置されている。これにより、連続する４つのＩＣタグ３Ａが、支持台５Ｂ1のアンテナ５Ｂ2、５Ｂ3と支持台５Ｃ1のアンテナ５Ｃ2、５Ｃ3で同時に読み取り可能となる。
【００２８】
アンテナ５Ｂ2、５Ｂ3およびアンテナ５Ｃ2、５Ｃ3は、制御部５Ｄの制御によって、電線３のＩＣタグ３Ａに電磁波を送信する。また、アンテナ５Ｂ2、５Ｂ3およびアンテナ５Ｃ2、５Ｃ3は、ＩＣタグ３Ａからの電磁波を受信する。
【００２９】
制御部５Ｄは、電線管理コンピュータ６から問い合わせ信号や書き込み信号を受け取ると、アンテナ５Ｂ2、５Ｂ3およびアンテナ５Ｃ2、５Ｃ3から、これらの信号を電磁波で出力する。また、アンテナ５Ｂ2、５Ｂ3およびアンテナ５Ｃ2、５Ｃ3が各ＩＣタグ３Ａから応答信号を電磁波で受信すると、電磁波から応答信号を再生して電線管理コンピュータ６に送る。
【００３０】
電線管理コンピュータ６は、リード・ライト装置５からの応答信号を基にして、電線ドラム２から引き出された電線３または電線ドラム２に戻し入れされた電線３の数量を計測するなどの処理をするものであり、図５に示すように、インタフェース６Ａ、入力部６Ｂ、処理部６Ｃ、記憶部６Ｄ、送受信部６Ｅ、および表示部６Ｆを備える。インタフェース６Ａは、リード・ライト装置５の制御部５Ｄと処理部６Ｃとの間で、各種信号の受け渡しをする。入力部６Ｂは人手により操作され、これにより、入力部６Ｂには送信指示など各種の指示や情報が入力される。送受信部６Ｅは、処理部６Ｃの制御により、通信網１００の基地局１０１を経由して、ホストコンピュータ９と情報の送受信をする。表示部６Ｆは、処理部６Ｃの制御により、入力部６Ｂに入力された情報などの各種情報を表示する。記憶部６Ｄは、処理部６Ｃの各種処理の処理手順を記憶している。
【００３１】
処理部６Ｃは、記憶部６Ｄに記憶されている処理手順により電線３に関する各種の処理をする。処理部６Ｃは、電線３の引き出しに伴う引き出し数量管理処理の開始を表す指示を入力部６Ｂから受け取ると、図６に示す処理を開始する。処理部６Ｃは、インタフェース６Ａに問い合わせ信号を送る（ステップＳ１）。この後、処理部６Ｃは、インタフェース６Ａによる信号の受信状態から、応答信号の有無を判断する（ステップＳ２）。ステップＳ２でインタフェース６Ａが応答信号を受信していないと判断すると、問い合わせ信号を所定回数、インタフェース６Ａからリード・ライト装置５に送信したかどうかを判断する（ステップＳ３）。ステップＳ３で、問い合わせ信号を所定回数送信していなければ、処理をステップＳ１に戻し、また、問い合わせ信号を所定回数送信していれば、電線３の引き出し作業が終了したと判別し（ステップＳ４）、処理を終了する。
【００３２】
ステップＳ２でインタフェース６Ａがリード・ライト装置５から応答信号を受信したと判断すると、処理部６Ｃは、インタフェース６Ａから応答信号を受け取り（ステップＳ５）、応答信号から順番情報を取り出す（ステップＳ６）。処理部６Ｃは、ステップＳ６で取り出した順番情報がＮ個隣接して連続しているかどうかを判断する（ステップＳ７）。この実施の形態では、リード・ライト装置５が４つのアンテナ５Ｂ2、５Ｂ3およびアンテナ５Ｃ2、５Ｃ3を持つのでＮの値は４である。順番情報が連続している場合、処理部６Ｃは、電線３が引き出し中であると判別し（ステップＳ８）、処理をステップＳ１に戻す。
【００３３】
ステップＳ７で順番情報がＮ個連続していなければ、つまり、リード・ライト装置５の第１のアンテナ部５Ｂが備える２つのアンテナ５Ｂ2、５Ｂ3が読み出した２つの応答信号からの順番情報だけが連続してある場合、処理部６Ｃは、電線３が切断されたと判別する（ステップＳ９）。ステップＳ９の後、処理部６Ｃは、第１のアンテナ部５Ｂのアンテナ５Ｂ3が読み取った応答信号、つまり、電線ドラム２側の電線３の先端部側にあるＩＣタグ３Ａから取得した応答信号に含まれる順番情報を用いて、切断した電線３の長さである使用数量を算出する（ステップＳ１０）。
【００３４】
ステップＳ１０で、処理部６Ｃは次のようにして引き出し電線３の使用数量を算出する。図７に示すように、電線ドラム２に巻かれている電線３の初めにあるＩＣタグ３Ａが記憶している順番情報が番号「Ｔ1」であり若番号である。以降は、番号が順に増加し、図７では番号「Ｔn-2」〜「Ｔn+3」までが例示されている。ここで、電線３が番号「Ｔn」と番号「Ｔn+1」との間で切断されると、引き出された電線３が敷設作業のために移動され、リード・ライト装置５に残るのが、電線ドラム２に巻き取られている電線３の先端部である。このとき、リード・ライト装置５の第１のアンテナ部５Ｂが電線３の先端部側のＩＣタグ３Ａから読み取る番号が「Ｔn+1」「Ｔn+2」であり、処理部６Ｃは、先端部側の番号「Ｔn+1」を用いて、
（Ｔn+1−Ｔ1−１）・Ｄ
を算出する。この算出結果が、引き出された電線３の長さ、つまり、番号「Ｔ1」のＩＣタグ３Ａから番号「Ｔn」のＩＣタグ３Ａまでの電線３の長さであり、引き出し電線３の使用数量である。
【００３５】
ステップＳ１０の後、処理部６Ｃは、算出結果である引き出し電線３の使用数量を記憶部６Ｄに記憶する（ステップＳ１１）。また、処理部６Ｃは、第１のアンテナ部５Ｂのアンテナ５Ｂ3から取得した応答信号に含まれる製品情報を記憶部６Ｄに記憶する（ステップＳ１２）。ステップＳ１２の後、処理部６Ｃは処理をステップＳ１に戻す。こうして、処理部６Ｃは、電線３の引き出しに伴う引き出し数量管理処理を行う。
【００３６】
処理部６Ｃは、引き出し数量管理処理をした後、次の書き込み処理をする。電線３に対する書き込み指示が入力部６Ｂに入力されると、処理部６Ｃは、記憶部６Ｄに記憶している電線３の使用数量を読み出し、インタフェース６Ａを制御して、リード・ライト装置５の第１のアンテナ部５Ｂのアンテナ５Ｂ3に、使用数量を記録するための書き込み信号を送る。これにより、第１のアンテナ部５Ｂのアンテナ５Ｂ3は、電線ドラム２からの電線３の先端部側のＩＣタグ３Ａに使用数量を記録させる。
【００３７】
処理部６Ｃは、電線３の引き出し数量管理処理を終了した後、次の送信処理をする。ホストコンピュータ９に対する送信の指示が入力部６Ｂに入力されると、処理部６Ｃは、記憶部６Ｄに記憶している使用数量および製品情報を読み出し、送受信部６Ｅを制御して通信網１００を経由し、引き出し電線３の使用数量および製品情報をホストコンピュータ９に送信する。また、送信処理の際に電線３に対する作業内容が入力部６Ｂに入力されると、この作業内容を表す作業情報もホストコンピュータ９に送信する。
【００３８】
先に述べたように、処理部６Ｃは記憶部６Ｄに記憶されている処理手順により電線３の引き出し数量管理処理を含む各種の処理をするが、この処理の中に電線３の戻し入れに関するものがある。電線３の戻し入れは、敷設されている電線３を撤去する際に行われる。処理部６Ｃは、電線３の戻し入れに伴う戻し入れ数量管理処理の開始を表す指示を入力部６Ｂから受け取ると、電線３の引き出し数量管理処理と同様の処理を行う。ただし、この管理処理では、図６のステップＳ８の処理を「電線の戻し入れ中と判別する」と読み替え、ステップＳ９の処理を「電線の終端と判別する」と読み替え、ステップＳ１０の処理を「戻し入れした電線の長さを算出する」と読み替える。この戻し入れ数量管理処理により、処理部６Ｃは、戻し入れ電線３の戻し入れ数量および製品情報をステップＳ１１、Ｓ１２で記憶部６Ｄに記憶する。この後、処理部６Ｃは、書き込み処理により、戻し入れ電線３の戻し入れ数量および製品情報を戻し入れ電線３の先端部側にＩＣタグ３Ａに記録させ、また、作業情報が入力されると、この作業情報も記録させる。処理部６Ｃは、送信処理により、戻し入れ電線３の戻し入れ数量および製品情報をホストコンピュータ９に送信する。また、作業内容が入力されると、処理部６Ｃは、この作業内容を表す作業情報をホストコンピュータ９に送信する。
【００３９】
収納箱７は、電線３の敷設の際に発生した電線３の端材を入れるためのものであり、図８に示すように、箱本体７Ａとアンテナ部７Ｂと制御部７Ｃとを備えている。箱本体７Ａは、端材を入れる箱状の容器である。アンテナ部７Ｂは、箱本体７Ａの底部に設けられ、複数のアンテナで構成されてもよく、また、単体のアンテナで構成されてもよい。アンテナ部７Ｂは、制御部７Ｃの制御によって、端材のＩＣタグ３Ａに電磁波を送信する。また、アンテナ部７Ｂは、端材のＩＣタグ３Ａからの電磁波を受信する。
【００４０】
制御部７Ｃは、電線管理コンピュータ８から問い合わせ信号や書き込み信号を受け取ると、これらの信号をアンテナ部７Ｂから電磁波で出力する。また、アンテナ部７Ｂが応答信号を電磁波で受信すると、電磁波から応答信号を再生して電線管理コンピュータ８に送る。
【００４１】
電線管理コンピュータ８は、収納箱７からの応答信号を基にして、端材の数量を計測するなどの処理をするものであり、図９に示すように、インタフェース８Ａ、入力部８Ｂ、処理部８Ｃ、記憶部８Ｄ、送受信部８Ｅ、および表示部８Ｆを備える。インタフェース８Ａは、収納箱７の制御部７Ｃと処理部８Ｃとの間で、各種信号の受け渡しをする。入力部８Ｂは人手により操作され、これにより、入力部８Ｂには送信指示など各種の情報が入力される。送受信部８Ｅは、処理部８Ｃの制御により、通信網１００の基地局１０１を経由して、ホストコンピュータ９と情報の送受信をする。表示部８Ｆは、処理部８Ｃの制御により、入力部８Ｂに入力された情報などの各種情報を表示する。記憶部８Ｄは、処理部８Ｃの各種の処理手順を記憶している。
【００４２】
処理部８Ｃは、記憶部８Ｄに記憶されている処理手順により端材に関する各種の処理をする。処理部８Ｃは、入力部６Ｂから端材数量管理処理の開始を表す指示を受け取ると、図１０に示す処理を開始する。処理部８Ｃは、インタフェース８Ａに問い合わせ信号を送る（ステップＳ３１）。この後、端材のＩＣタグからの応答信号があるかどうかを判断する（ステップＳ３２）。ステップＳ３２で応答信号がない場合、作業者が端材を箱本体７Ａに入れていない状況であるので、処理部８Ｃは処理をステップＳ３１に戻す。また、ステップＳ３２で応答信号がある場合、処理部８Ｃは、インタフェース８Ａを経て応答信号を受け取り（ステップＳ３３）、応答信号に含まれる順番情報を取り出す（ステップＳ３４）。この後、処理部８Ｃは、順番情報を使用して端材の長さを算出する（ステップＳ３５）。
【００４３】
ステップＳ３５での端材の算出方法は次のとおりである。端材の順番情報が１つである場合は、処理部８Ｃは、端材の長さをＤとする。端材の順番情報が連続し、かつ、その番号が「Ｔk」〜「Ｔk+m」まである場合、処理部８Ｃは、この連続する１組の番号を用いて、
（Ｔk+m−Ｔk）・Ｄ
を算出する。この算出結果が端材の長さ、つまり端材数量である。そして、連続する番号の組が複数ある場合には、各組みの連続番号を用いて算出した端材の長さを合計したものを端材数量とする。また、必要に応じて各組の数を端材の個数とする。
【００４４】
ステップＳ３５の後、処理部８Ｃは、算出結果である端材数量を記憶部８Ｄに記憶する（ステップＳ３６）。また、処理部８Ｃは、ステップＳ３３で受け取った応答信号に含まれる製品情報を記憶部８Ｄに記憶して（ステップＳ３７）、端材数量管理処理を終了する。
【００４５】
処理部８Ｃは、端材数量管理処理が終了した後、次の送信処理をする。ホストコンピュータ９に対する送信の指示が入力部８Ｂに入力されると、処理部８Ｃは、記憶部８Ｄに記憶している端材数量および製品情報を読み出し、送受信部８Ｅを制御して通信網１００を経由し、ホストコンピュータ９に端材電線の端材数量および製品情報を送信する。
【００４６】
ホストコンピュータ９は電線ドラム２に巻かれている未使用の電線３を管理し、電線３の製造者、製造年、ロット番号などの製品情報として最新のものを常に保持している。
【００４７】
ホストコンピュータ９は、引き出し電線の使用数量および製品情報を電線管理コンピュータ６から受信すると、電線ドラム２の例えば管理番号と共に引き出し電線の使用数量および製品情報を保存する。また、ホストコンピュータ９は、引き出し電線の製品情報と、引き出し電線が敷設された位置を表す位置情報とを組み合わせて保存し、また、電線管理コンピュータ６から作業情報を受け取ると、この作業情報も併せて保存する。ホストコンピュータ９は、端材電線の製品情報および端材数量を電線管理コンピュータ８から受信すると、端材電線の端材数量および製品情報を保存する。
【００４８】
ホストコンピュータ９は、敷設されている電線の製品情報と最新の製品情報とを比較し、経年劣化や製造時の製品不良の有無を判別する。経年劣化や製造時の製品不良が判明すると、ホストコンピュータ９は敷設されている電線の修理や交換を指示する。
【００４９】
ホストコンピュータ９は、戻し入れ電線の戻し入れ数量および製品情報を電線管理コンピュータ６から受信すると、戻し入れ電線の製品情報と最新の製品情報とを比較して、戻し入れ電線の性能不良を判別する。戻し入れ電線に性能不良がなければ、ホストコンピュータ９は、戻し入れ電線を他の場所で使用することができる再使用電線として、電線ドラム２の例えば管理番号と共に戻し入れ電線の戻し入れ数量および製品情報を保存する。また、ホストコンピュータ９は、電線管理コンピュータ６から戻し入れ数量と共に作業情報を受け取ると、この作業情報も保存する。さらに、戻し入れ電線に性能不良があると、ホストコンピュータ９は、戻し入れ電線の再使用が不可能なものと判別し、電線くずとして処理する。
【００５０】
この実施の形態による電線管理システムは以上の構成である。この電線管理システムによる電線管理方法は次のようにして行われる。電線３の敷設をする作業者は、ドラム架台１に支持されている電線ドラム２から電線３を引き出して、リード・ライト装置５の支持台５Ｂ1に電線３を載せる。また、作業者は、電線管理コンピュータ６を操作して、電線３の引き出し数量管理処理の開始を入力する。この後、作業者が引き出し方向Ａに引き出した後、リード・ライト装置５の切断部５Ｅの所で電線３を切断する。これにより、リード・ライト装置５の第１のアンテナ部５Ｂに電線ドラム２に巻き取られている電線３の先端部が残った状態になる。電線管理コンピュータ６は、電線３の引き出し数量管理処理により、引き出された電線３の長さである使用数量を算出して記憶すると共に電線３の製品情報を記憶する。この後、作業者が電線管理コンピュータ６を操作して、送信の指示を入力する。これにより、電線管理コンピュータ６は、記憶している引き出し電線の使用数量および製品情報をホストコンピュータ９に送信する。
【００５１】
また、作業者が電線管理コンピュータ６を操作して書き込み指示を入力すると、電線管理コンピュータ６は、書き込み処理をして、リード・ライト装置５の第１のアンテナ部５Ｂのアンテナ５Ｂ3に、引き出し電線３の使用数量を表す書き込み信号を送る。リード・ライト装置５のアンテナ５Ｂ3は、電線ドラム２に巻き取られている電線３の先端部側にあるＩＣタグ３Ａに使用数量を記憶させる。
【００５２】
これにより、電線ドラム２に巻き取られた電線３の先端部のＩＣタグ３Ａには、使用数量が記憶されているので、この使用数量から電線ドラム２に巻き取られている未使用数量を必要に応じて簡単に調べることができる。
【００５３】
敷設した電線３に端材が生じた場合、作業者は、この端材を収納箱７に入れて、電線管理コンピュータ８を操作して、端材数量管理処理の開始を入力する。これにより、電線管理コンピュータ８は、端材数量管理処理を行い、端材の長さである端材数量を算出して、端材数量を記憶すると共に製品情報を記憶する。この後、作業者が電線管理コンピュータ８を操作して、送信の指示を入力する。これにより、電線管理コンピュータ８は、記憶している端材数量および製品情報をホストコンピュータ９に送信する。
【００５４】
引き出し電線３の使用数量を電線管理コンピュータ６が記憶している状態で、作業者が電線管理コンピュータ６を操作して電線３の敷設位置と送信の指示とを入力すると、電線管理コンピュータ６は、電線３の敷設位置と、切断した電線３の使用数量および製品情報とを、通信網１００を経由してホストコンピュータ９に送信する。
【００５５】
ホストコンピュータ９は、電線管理コンピュータ６、８から各種情報を受信すると、電線３の受信した製品情報と、電線３が敷設された位置を表す位置情報とを組み合わせて保存して電線３を管理し、電線管理コンピュータ６から作業情報を受信すると、この作業情報も併せて保存して電線３を管理する。また、ホストコンピュータ９は、敷設の際に未使用となった電線３を、電線管理コンピュータ６から受信した電線３の使用数量と共に保存して未使用の電線３を管理する。
【００５６】
この後、ホストコンピュータ９は、敷設されている電線３の製品情報と最新の製品情報とを比較し、経年劣化や製造時の製品不良が判明すると、敷設されている電線３の修理や交換を指示する。
【００５７】
ところで、電柱の撤去などに伴って、電線ドラム２に電線３の戻し入れをする際に、電線３の戻し入れをする作業者は、リード・ライト装置５の支持台５Ｂ1に電線３を載せる。この後、作業者は、電線管理コンピュータ６を操作して、戻し入れ数量管理処理の開始を入力し、電線３を引出し方向Ａとは逆の方向に戻し入れ、電線３を電線ドラム２に巻き取る。電線管理コンピュータ６は、戻し入れ数量管理処理により、戻し入れた電線３の長さである戻し入れ数量と、電線３の製品情報とを記憶する。
【００５８】
戻し入れ電線３の戻し入れ数量と、この電線３の製品情報とを電線管理コンピュータ６が記憶している状態で、作業者が電線管理コンピュータ６を操作して書き込みの指示を入力すると、電線管理コンピュータ６は、戻し入れ電線３の先端部側のＩＣタグ３Ａに戻し入れ数量を記録させ、作業情報を受け取ると、この作業情報も記録させる。作業者が電線管理コンピュータ６を操作して送信の指示を入力すると、電線管理コンピュータ６は、戻し入れ電線３の戻し入れ数量および製品情報を、通信網１００を経由してホストコンピュータ９に送信する。また、電線管理コンピュータ６は、作業情報を受け取ると、この作業情報も送信する。
【００５９】
ホストコンピュータ９は、戻し入れ電線３の戻し入れ数量および製品情報を受信すると、戻し入れ電線３の製品情報と最新の製品情報とを比較して、戻し入れ電線３の性能不良を判別する。戻し入れ電線３に性能不良がなければ、ホストコンピュータ９は、戻し入れ電線３を他の場所で使用することができる再使用電線として、戻し入れ数量および製品情報を保存して戻し入れ電線３を管理し、作業情報を受信した場合には、この作業情報も併せて保存して戻し入れ電線３を管理する。また、戻し入れ電線３に性能不良があると、ホストコンピュータ９は、戻し入れ電線３の再使用が不可能なものとし、電線くずとして処理する。
【００６０】
この実施の形態によれば、電線ドラム２から引き出した電線３を従来のように巻尺などを用いて作業者が計る必要がなく、自動で電線３の使用数量を調べることができ、また、敷設作業で発生した端材の数量も自動で計ることができる。また、この実施の形態によれば、回収した電線３の戻し入れ数量を自動で計ることができ、かつ、回収した電線３の製品情報を容易に取得することができる。さらに、戻し入れ電線の作業情報が戻し入れ電線に記録されるので、作業履歴が戻し入れ電線３に記録されることになる。電線３に対する作業は回収した電線の良否を判別する際に参照される。
【００６１】
また、電線管理コンピュータ６から受信した使用数量および製品情報とをホストコンピュータ９が保存するので、敷設された電線３と、この敷設で未使用となった電線３との管理がホストコンピュータ９により可能となる。また、敷設された電線３の製品情報と位置情報とを組み合わせてホストコンピュータ９が保存するので、既に敷設された電線３のホストコンピュータ９による一元的な管理を可能にする。このとき、作業情報が組み合わされると、作業履歴も保存することができる。また、ホストコンピュータ９が常に最新の製品情報を保存しているので、電線３の経年劣化や製造時の製品不良が判明すると、敷設されている電線３の修理や交換の指示をホストコンピュータ９から出すことができる。また、電線管理コンピュータ８から受信した端材数量および製品情報を保存するので、端材となった電線３の管理がホストコンピュータ９により可能となる。さらに、電線３が電線ドラム２に戻し入れられた際に電線管理コンピュータ８から戻し入れ数量と製品情報とを受信すると、戻し入れられた電線３の製品情報と最新の製品情報とを比較して、ホストコンピュータ９が電線３の良否を判別するので、再使用電線と電線くずとの仕分けをホストコンピュータ９により容易に行うことができ、再使用電線の管理をホストコンピュータ９により可能にする。
【００６２】
（実施の形態２）
この実施の形態では、実施の形態１のリード・ライト装置５の代わりに図１１に示すハンディタイプの読み取り器１０が用いられている。読み取り器１０は、本体部１１と把持部１２とを備えている。
【００６３】
本体部１１は、電線３が通る貫通穴１１Ａと、貫通穴１１Ａの長手方向に並んで設けられているアンテナ１１Ｂ、１１Ｃとを備えている。アンテナ１１Ｂ、１１Ｃは、電線３にＩＣタグ３Ａが配置されている間隔Ｄと同じ間隔で本体部１１に配置されている。これにより、連続する２つのＩＣタグ３Ａが、アンテナ１１Ｂ、１１Ｃで同時に読み取り可能となる。アンテナ１１Ｂ、１１Ｃは、把持部１２に設けられている制御部１２Ａの制御によって、電線３のＩＣタグ３Ａに電磁波を送信する。また、アンテナ１１Ｂ、１１Ｃは、ＩＣタグ３Ａからの電磁波を受信する。
【００６４】
把持部１２は先に述べた制御部１２Ａを備えている。操作部１２Ａは実施の形態１のリード・ライト装置５の制御部５Ｄと同じであるので、この説明を省略する。
【００６５】
リード・ライト装置５は、処理部６Ｃの処理の中でステップＳ７が異なるだけである。この実施の形態では、処理部６Ｃは、ステップＳ６の後、入力部６Ｂに電線３の切断が入力されたかどうかを判断する。このステップＳ６で、入力部６Ｂに切断の入力がなければ、ステップＳ８に進み、また、この入力があると、ステップＳ９に進む。
【００６６】
この実施の形態によれば、実施の形態１と同様の効果を得ることができる。これに加えて、この実施の形態によれば、読み取り器１０がハンディタイプであるので、運搬や測定に際しての取り扱いが容易である。
【００６７】
（実施の形態３）
この実施の形態では、実施の形態１のリード・ライト装置５の代わりに図１２に示すハンディタイプの読み取り器２０が用いられている。読み取り器２０は、本体部２１と把持部２２とを備えている。さらに、図示を省略しているが、この実施の形態では、電線３を巻き取る電線ドラム２にＩＣタグ３Ａが設けられている。
【００６８】
本体部２１は、電線３が通る貫通穴２１Ａと、貫通穴２１Ａの長手方向に並んで設けられているアンテナ２１Ｂ、２１Ｃとを備えている。アンテナ２１Ｂ、２１Ｃは実施の形態２のアンテナ１１Ｂ、１１Ｃと同じであるので、これらの説明を省略する。
【００６９】
把持部２２は、制御部２２Ａと操作ボタン２２Ｂ〜２２Ｅとを備えている。制御部２２Ａは実施の形態１のリード・ライト装置５の制御部５Ｄと同じであるので、この説明を省略する。操作ボタン２２Ｂ〜２２Ｅは、切断された電線３の両端部に位置するＩＣタグ３Ａの順番情報や製品情報を手動で読み取る際に操作される。操作ボタン２２Ｂは電線３を引き出すときに操作される「引出」のボタンである。操作ボタン２２Ｂの操作により、操作ボタン２２Ｂは制御部２２Ａを経由して引き出し信号を電線管理コンピュータ６に送る。操作ボタン２２Ｃは電線３を戻し入れするときに操作される「戻入」のボタンである。操作ボタン２２Ｃの操作により、操作ボタン２２Ｃは制御部２２Ａを経由して戻し入れ信号を電線管理コンピュータ６に送る。操作ボタン２２Ｄは電線３の一端部側に位置するＩＣタグ３Ａから順番情報や製品情報を読み取る際に操作される「自」のボタンであり、操作ボタン２２Ｅは電線３の他端部側に位置するＩＣタグ３Ａから順番情報や製品情報を読み取る際に操作される「至」のボタンである。
【００７０】
リード・ライト装置５の処理部６Ｃは、実施の形態１および実施の形態２とは異なる処理をする。つまり、処理部６Ｃは、インタフェース６Ａを経由して、読み取り器２０から引き出し信号を受け取った後、操作ボタン２２Ｄの操作信号を受け取ると、インタフェース６Ａを経て読み取り器２０に問い合わせ信号を送る。この後、読み取り器２０から応答信号を受け取ると、応答信号に含まれる引き出し電線の順番情報を取り出す。さらにこの後、処理部６Ｃは、操作ボタン２２Ｅの操作信号を受け取ると、インタフェース６Ａを経て読み取り器２０に問い合わせ信号を送る。この後、読み取り器２０から応答信号を受け取ると、応答信号に含まれる引き出し電線の順番情報を取り出す。そして、処理部６Ｃは、２つの順番情報から、引き出し電線の使用数量を算出して、応答信号に含まれる引き出し電線の製品情報と共に使用数量を記憶部６Ｄに記憶する。
【００７１】
同じように、操作ボタン２２Ｃが操作された後で操作ボタン２２Ｄ、２２Ｅが操作されると、処理部６Ｃは、戻し入れ電線の戻し入れ数量および製品情報を記憶部６Ｄに記憶する。
【００７２】
この後、書き込み処理では、実施の形態１と同様にアンテナ２１Ｃが電線ドラム２からの電線３の先端側のＩＣタグ３Ａに、引き出し電線の使用数量や戻し入れ電線の戻し入れ数量を記録される。また、電線ドラム２に設けられているＩＣタグ３Ａに作業者が読み取り器２０を近づければ、引き出し電線の使用数量や戻し入れ電線の戻し入れ数量がこのＩＣタグ３Ａに記録される。
【００７３】
また、処理部６Ｃは、記憶部６Ｄに保存している使用数量および製品情報を読み出し、送受信部６Ｅを制御して通信網１００を経由し、引き出し電線の使用数量および製品情報や戻し入れ電線の戻し入れ数量および製品情報をホストコンピュータ９に送信する。
【００７４】
この実施の形態によれば、実施の形態１と同様の効果を得ることができる。これに加えて、この実施の形態によれば、作業者が操作ボタン２２Ｂ〜２２Ｅを操作して、引き出し電線の両端部に位置するＩＣタグ３Ａからの読み取りを行うだけで、引き出し電線の使用数量および戻し入れ電線の戻し入れ数量を計ることを可能にする。さらに、この実施の形態によれば、電線ドラム２に設けたＩＣタグ３Ａに、引き出し電線の使用数量や戻し入れ電線の戻し入れ数量を保存することができる。
【００７５】
以上、この発明の実施の形態を詳述してきたが、具体的な構成はこれらの実施の形態に限られるものではなく、この発明の要旨を逸脱しない範囲の設計の変更等があっても、この発明に含まれる。例えば、各実施の形態では、配電線の敷設を例にして説明したが、電線３はこれに限定されることはなく、例えば、送電線や通信線など各種の用途の電線に対して発明の適用が可能である。また、各実施の形態では、電線管理コンピュータ６、８を別の装置としたが、収納箱７が電線管理コンピュータ６の周辺に設置可能であれば、電線管理コンピュータ６、８を１つの装置としてもよい。
【図面の簡単な説明】
【００７６】
【図１】この発明の実施の形態１による電線管理システムを示す構成図である。
【図２】この発明の実施の形態１による電線管理システムを示す構成図である。
【図３】電線を説明する説明図である。
【図４】リード・ライト装置を示す斜視図である。
【図５】リード・ライト装置および電線管理コンピュータを示すブロック図である。
【図６】引き出し数量管理処理を示すフローチャートである。
【図７】切断された電線の長さの算出を説明する説明図である。
【図８】収納箱の一例を示す断面図である。
【図９】収納箱のアンテナ部および制御部と、電線管理コンピュータとを示すブロック図である。
【図１０】端材数量管理処理を説明するフローチャートである。
【図１１】実施の形態２による読み取り器を示す斜視図である。
【図１２】実施の形態３による読み取り器を示す斜視図である。
【符号の説明】
【００７７】
１  ドラム架台
２  電線ドラム
３  電線
５  リード・ライト装置（第１の通信手段）
５Ａ  支持具
５Ｂ  第１のアンテナ部
５Ｃ  第２のアンテナ部
５Ｄ  制御部
５Ｅ  切断部
６  電線管理コンピュータ（第１の処理手段）
６Ａ  インタフェース
６Ｂ  入力部
６Ｃ  処理部
６Ｄ  記憶部
６Ｅ  送受信部（送受信手段）
６Ｆ  表示部
７  収納箱（収納容器）
７Ａ  箱本体
７Ｂ  アンテナ部（第２の通信手段）
７Ｃ  制御部（第２の通信手段）
８  電線管理コンピュータ（第２の処理手段）
８Ａ  インタフェース
８Ｂ  入力部
８Ｃ  処理部
８Ｄ  記憶部
８Ｅ  送受信部
８Ｆ  表示部
９  ホストコンピュータ（情報管理手段）
１０  読み取り器
１１  本体部
１１Ａ  貫通穴
１１Ｂ、１１Ｃ  アンテナ
１２  把持部
１２Ａ  制御部
２０  読み取り器
２１  本体部
２１Ａ  貫通穴
２１Ｂ、２１Ｃ  アンテナ
２２  把持部
２２Ａ  制御部
２２Ｂ〜２２Ｅ  操作ボタン
【図１】
2007265667.tif 000003
【図２】
2007265667.tif 000004
【図３】
2007265667.tif 000005
【図４】
2007265667.tif 000006
【図５】
2007265667.tif 000007
【図６】
2007265667.tif 000008
【図７】
2007265667.tif 000009
【図８】
2007265667.tif 000010
【図９】
2007265667.tif 000011
【図１０】
2007265667.tif 000012
【図１１】
2007265667.tif 000013
【図１２】
2007265667.tif 000014